(57)【特許請求の範囲】
【請求項１】
略矩形状の後方板と、該後方板の前方縁で蝶番状に回動自在に支持される略矩形状の中間板と、該中間板の前方縁で蝶番状に回動自在に支持される略矩形状の前方板とからなり、前記後方板と前記前方板が、前記中間板に対して、それぞれ回動自在であり、且つ当該回動範囲内の任意の位置で固定され、更に前記後方板の後端部に蝶番状に回動自在に支持される後方係合片を有し、前記前方板の前端部に蝶番状に回動自在に支持される前方係合片を有したことを特徴とする商品陳列台。
【請求項２】
前記後方板、前記中間板及び前記前方板の表面のそれぞれに横溝を複数条設けたものであることを特徴とする請求項１記載の商品陳列台。
【請求項３】
平板を屈曲させて形成される略Ｌ字断面形状のＬ字板と、該Ｌ字板のＬ字の長手部分の部材の先端縁で蝶番状に回動自在に支持される略矩形状の前方板とからなり、前記前方板が、前記Ｌ字板に対して、回動自在であり、且つ当該回動範囲内の任意の位置で固定され、更に前記Ｌ字板のＬ字の短手部分の部材の後端部に蝶番状に回動自在に支持される後方係合片を形成し、前記前方板の前端部に蝶番状に回動自在に支持される前方係合片を形成したことを特徴とする商品陳列台。
【請求項４】
前記Ｌ字板を山型状に見た場合の該Ｌ字板の表面と、前記前方板の表面のそれぞれに横溝を複数条設けたものであることを特徴とする請求項３記載の商品陳列台。
【請求項５】
請求項１〜４のいずれか１項記載の商品陳列台の複数個を、表面に複数状の横溝を有する設置台の傾斜面の前後方向に並べて設置されることを特徴とする商品陳列棚。
【請求項６】
表面に横溝が形成された前方設置台と、表面に横溝が形成された後方設置台の裏面同士を対向させることにより前方傾斜面と後方傾斜面を八の字形に形成した一対の設置台に、請求項１〜４のいずれか１項記載の商品陳列台を設置するものであって、該商品陳列台は、前記前方設置台と前記後方設置台の頂上で形成される開口部を跨ぐように設置されることを特徴とする商品陳列棚。
【発明の詳細な説明】
【０００１】
【発明の属する技術分野】
本発明は、主にスーパー、百貨店、専門店、コンビニエンスストアー等の店内で商品を陳列するのに用いられ、一つ又は複数個を並べて多面的な商品の陳列が可能な商品陳列台およびこれを設置台の傾斜面に設置する商品陳列棚に関するものである。
【０００２】
【従来の技術】
従来、スーパー、百貨店、専門店等の店内で商品を陳列する方法は、最も単純なものとして、(1) 水平の陳列台に仕切りを設け、その仕切りごとに商品を並べたり、箱等に商品を並べ、この箱等ごと水平の陳列台に載せたものがある。また、(2) 傾斜している陳列台に仕切りや雛壇を設け、その仕切りや雛壇ごとに商品を並べたり、箱等に商品を並べこの箱等ごと直接傾斜の陳列台に載せたものがある。また、(3) 水平あるいは傾斜を選択でき、しかも傾斜角も選択できる角度選択型陳列台に仕切りを設けて、その仕切りごとに商品を並べたり、箱等に商品を並べこの箱等ごと角度選択陳列台に載せたものもある。更に、(4) 上記の(2) 、(3) の傾斜している陳列台の代わりに、仕切り板や雛壇を予め設けてある商品陳列棚を台に載せ、この仕切り板や雛壇に直接商品を並べるものもある。
【０００３】
これらスーパー等の店内での商品陳列方法は、それにより商品の売れ行きが左右されることが多いから、上記した方法以外にも工夫を凝らし、様々な方法が取られる。しかし、その基本とするところは、水平の陳列台、傾斜している陳列台、角度選択型陳列台等の各種の陳列台に、仕切り板や箱等により商品を仕切り陳列するか、仕切り板や雛壇を設けてある商品陳列棚を設置台に載せ、それら仕切り板や雛壇により商品を仕切り陳列する方法である。
【０００４】
【発明が解決しようとする課題】
上記(1) 〜(3) の商品陳列方法は、ばらもの商品をボリューム感を持たせて陳列させるには充分ではない。また、目玉商品を一纏めとし、顧客の注意をひく陳列効果も期待できない。また、上記(4) の商品陳列棚は、予め雛壇を作製する必要があり、作製費や保管場所等の点で問題があった。更に、従来の商品陳列方法では頻繁な模様替えをするにしても、替わりばえのしない形態を採らざるを得なかった。
【０００５】
従って、本発明の目的は、商品の多様化、頻繁な模様替えに対応可能で、簡易な構造であり、且つひとつ又は複数個の使用で多面的な商品の陳列が可能な商品陳列台および商品陳列棚を提供することにある。
【０００６】
【課題を解決するための手段】
かかる実情において、本発明者は鋭意検討を行った結果、矩形状で横長の３枚の平板を上下方向に並べた状態で、対向する左右長手方向の２箇所の縁部を互いに蝶番状に連結し、後方板と前方板が、前記中間板に対して、それぞれ０〜１８０度で回動自在であり、且つ当該角度内の任意の位置で固定させ、これをひとつ又は複数個を並べて傾斜面を有する設置台で使用すれば多面的で演出効果に優れた商品の陳列が可能であることなどを見出し、本発明を完成するに至った。
【０００７】
すなわち、本発明は、略矩形状の後方板と、該後方板の前方縁で蝶番状に回動自在に支持される略矩形状の中間板と、該中間板の前方縁で蝶番状に回動自在に支持される略矩形状の前方板とからなり、前記後方板と前記前方板が、前記中間板に対して、それぞれ回動自在であり、且つ当該回動範囲内の任意の位置で固定され、更に前記後方板の後端部に蝶番状に回動自在に支持される後方係合片を有し、前記前方板の前端部に蝶番状に回動自在に支持される前方係合片を有した商品陳列台を提供するものである。また、本発明は、前記後方板、前記中間板及び前記前方板の表面のそれぞれに横溝を複数条設けたものである前記商品陳列台を提供するものである。また、本発明は、平板を屈曲させて形成される略Ｌ字断面形状のＬ字板と、該Ｌ字板のＬ字の長手部分の部材の先端縁で蝶番状に回動自在に支持される略矩形状の前方板とからなり、前記前方板が、前記Ｌ字板に対して、回動自在であり、且つ当該回動範囲内の任意の位置で固定され、更に前記Ｌ字板のＬ字の短手部分の部材の後端部に蝶番状に回動自在に支持される後方係合片を形成し、前記前方板の前端部に蝶番状に回動自在に支持される前方係合片を形成した商品陳列台を提供するものである。また、本発明は、前記Ｌ字板を山型状に見た場合の該Ｌ字板の表面と、前記前方板の表面のそれぞれに横溝を複数条設けたものである前記商品陳列台を提供するものである。
【０００８】
また、本発明は、前記商品陳列台の複数個を、表面に複数状の横溝を有する設置台の傾斜面の前後方向に並べて設置される商品陳列棚を提供するものである。また、本発明は、表面に横溝が形成された前方設置台と、表面に横溝が形成された後方設置台の裏面同士を対向させることにより前方傾斜面と後方傾斜面を八の字形に形成した一対の設置台に、前記商品陳列台を設置するものであって、該商品陳列台は、前記前方設置台と前記後方設置台の頂上で形成される開口部を跨ぐように設置されることを特徴とする商品陳列棚。
【０００９】
本発明の商品陳列台によれば、商品の多様化、頻繁な模様替えに対応可能で、簡易な構造であり、且つひとつ又は複数個の使用で多面的な商品の陳列が可能となる。また、本発明の商品陳列棚によれば、複数の商品陳列台と設置台の傾斜面の利用だけで、ひな壇状、波状、鋸歯状など種々の形態の陳列棚を形成できる。
【００１０】
【発明の実施の形態】
本発明の第１の実施の形態における商品陳列台を図１〜図４に基づいて詳述する。  図１は本発明の第１の実施の形態である商品陳列台を示す斜視図、図２および図３は図１の商品陳列台の前方板および後方板の動きを示す斜視図、図４は図３の商品陳列台３台をピラミット状に組み付けた図をそれぞれ示す。
【００１１】
本例の商品陳列台１は、表面に横溝２１を３条設けた横長矩形状の後方板２と、後方板２の前方縁２２で蝶番状に回動自在に支持される表面に横溝３１を６条設けた後方板２より幅広の矩形状の中間板３と、中間板３の前方縁３２で蝶番状に回動自在に支持される後方板２と同形状の表面に横溝４１を３条設けた前方板４とからなり、後方板２と前方板４が、中間板３に対して、それぞれ０〜１８０度で回動自在であり、且つ当該角度内の任意の位置で固定されるものである。図１は後方板２と前方板４が、中間板３に対して、それぞれ０度、すなわち、後方板２、中間板３、前方板４で形成される全体形状が平板状の商品陳列台１を形成する。なお、本発明においては、前記回動範囲は、０〜１８０度に限定されず、それ以上に回動するものであってもよい。
【００１２】
後方板２は、３条の横溝２１が形成された天板２４と、左右の側板２５と、中間板３の後方縁３３と蝶番状の結合（以下、ヒンジ構造と言う）を形成する前方縁２２とから構成される。前方縁２２の大部分は図１中に表れていない。また、後方板２の後端部２３の両側部分には蝶番状に回動自在に支持される後方係合片７ａ、７ｂを有する。後方係合片７ａ、７ｂは、該後方係合片７ａ、７ｂを有する商品陳列台１と同様の形態を有する他の商品陳列台の後方板、中間板または前方板のいずれかの横溝、または設置台の横溝に嵌め込むものであり、その大きさは特に制限されない。また、その個数は２個に限定されず、１個あるいは３個でもよい。後方板２に形成される３条の横溝２１は、該横溝２１を有する商品陳列台と同様の形態を有する他の商品陳列台の後方係合片７ａ、７ｂや前方係合片７ｃ、７ｄが嵌め込まれるものであり、その幅寸法および溝深さは後方係合片７ａ、７ｂや前方係合片７ｃ、７ｄの幅寸法や厚さ寸法により適宜決定される。また、横溝の個数も特に制限されない。本例の商品陳列台においては、後方板に形成される横溝２１は天板２４を上下に貫通して形成されている。
【００１３】
中間板３は、６条の横溝３１が形成された天板３４と、左右の側板３５と、後方板２の前方縁２２とヒンジ構造を採る後方縁３３と、前方板４の後方縁４３とヒンジ構造を採る前方縁３６とから構成される。但し、後方縁３３と前方縁３６は図１では大部分が表れていない。中間板に形成される６条の横溝３１は、前記後方板２の横溝２１と同一形状であり、横溝３１を有する商品陳列台１と同様の形態を有する他の商品陳列台の後方係合片７ａ、７ｂや前方係合片７ｃ、７ｄが嵌め込まれるものである。本例の商品陳列台においては、中間板に形成される横溝３１は天板３４を上下に貫通して形成されている。
【００１４】
前方板４は、３条の横溝４１が形成された天板４４と、左右の側板４５と、中間板３の前方縁３６とヒンジ構造を形成する後方縁４３とから構成される。後方縁４３の大部分は図１では表れていない。また、前方板２の前端部４６の両側部分には蝶番状に回動自在に支持される前方係合片７ｃ、７ｄを有する。前方係合片７ｃ、７ｄは、前記後方係合片７ａ、７ｂと同一形状、同一機能であるため、その説明を省略する。前方板に形成される横溝４１は、後方板に形成される横溝２１と同一形状、同一機能であるため、その説明を省略する。
【００１５】
後方板２の前方縁２２と中間板３の後方縁３３とで形成されるヒンジ構造５は、後方板２が中間板３に対して、０〜１８０度で回動自在であり、且つ当該角度内の任意の位置で固定されるものであれば、特に制限されず、公知のヒンジ構造が適用できる。本例では商品陳列台１の裏面構造を示す図１３のように、後方板２の前方縁２２に２個の円形断面の突起状部、前方板４の後方縁４３に２個の円形断面の突起状部、中間板３の前方縁３２および後方縁２２には、前記２個の円形断面の突起状部に嵌合する３個の円形断面の突起状部を形成し、この嵌合の強さにより、ヒンジを形成している。このヒンジ強度は、手操作で回動は行えるものの、容易にはズレない程度の強いものである。また、このヒンジ構造５は、ヒンジ強度が弱いものでも、公知のロック機能を付与したものであればよい。また、０〜１８０度での回動は必ずしも全ての位置で固定可能である必要はなく、例えば１０度刻みの固定であってもよい。また、前方板４の後方縁４３と中間板３の前方縁３６とで形成されるヒンジ構造６は、前記ヒンジ構造５と同一形状、同一機能であるため、その説明を省略する。
【００１６】
後方板２の後端部２３と後方係合片７ａ、７ｂのヒンジ構造としては、公知の構造を採ることができる。後方係合片７ａ、７ｂは、後方板２に対して、上下少なくとも０〜９０度での回動が可能であり、且つ当該角度内の任意の位置で固定される。従って、このヒンジ強度は、手操作で回動は行えるものの、容易にはズレない程度の強いものである。また、前方板４の前端部４６と前方係合片７ｃ、７ｄのヒンジ構造は前記後方板２の後端部２３と後方係合片７ａ、７ｂのヒンジと同じものである。このような商品陳列台１は、例えば、中間板３に対して、後方板２のなす角度α、および中間板３に対して、前方板４のなす角度βが同じの約１０度程度の場合、側面視で高さの低い台形状となり（図２）、α、βが同じで９０度の場合、側面視で四角形状となる（図３）。また、図３の実施の形態に係る商品陳列台３台をピラミッド状に組み立てる場合、上に乗る商品陳列台１の後方係合片７ａ、７ｂは、下の後方側にある商品陳列台１の中間板３の横溝３１に係合し、一方、上に乗る商品陳列台１の前方係合片７ｃ、７ｄは、下の前方側にある商品陳列台１の中間板３の横溝３１に係合する（図４）。このような商品陳列台１の複数個を、表面に複数状の横溝を有する設置台の傾斜面の前後方向に並べて設置した場合、種々の棚形態を有する商品陳列棚とすることができる。
【００１７】
本発明の第２の実施の形態における商品陳列台を図５に基づいて説明する。図５は本発明の第２の実施の形態である商品陳列台を示す斜視図である。第２の実施の形態において、第１の実施の形態例と同一の構成要素には同一符号を付してその説明を省略し、異なる点について主に説明する。本例の商品陳列台１Ａは、平板を屈曲させて形成される略Ｌ字断面形状のＬ字板２Ａと、該Ｌ字板２ＡのＬ字の長手部分２０３の部材２０１の先端縁３６Ａで蝶番状に回動自在に支持される略矩形状の前方板４とからなり、前方板４が、Ｌ字板２Ａに対して回動自在であり、且つ当該回動範囲内の任意の位置で固定される。図５では、前方板４は、Ｌ字板２Ａに対して約１０度程度下方に回動して固定されている。Ｌ字板２Ａにおいて、Ｌ字の長手部分２０３の部材２０１は、Ｌ字の短手部分２０４の部材２０２より幅広であり、部材２０２は前方部材４と同一形状である。すなわち、第１の実施の形態例における商品陳列台１は主部材が３つの板状部材で構成されるのに対して、本例では、後方板と中間板を固定したＬ字板と、前方板の２つの部材で構成される。従って、後方係合片７ａ、７ｂは、Ｌ字板２ＡのＬ字の短手部分２０２の部材２０４の後端部２３Ａに蝶番状に回動自在に支持される。第２の実施の形態例においては、第１の実施の形態例に比べて、採り得る変形の形態が制限されるものの、ほぼ同様の作用効果を奏することができる。また、第２の実施の形態例の変形例として、Ｌ字板を山型状に見た場合の該Ｌ字板の表面に形成された横溝を省略したＬ字板２３Ｂと、前記前方板の表面に形成された横溝を省略した前方板４Ｂとから構成される商品陳列台１Ｂとすることもできる（図６参照）。
【００１８】
次に、本発明の実施の形態にかかる商品陳列棚について、図７〜図１２を参照して説明する。図７は第１の実施の形態例を示す商品陳列棚の一部の斜視図、図８は第２の実施の形態例を示す商品陳列棚の一部の斜視図、図９は第３の実施の形態例を示す商品陳列棚の一部の斜視図、図１０は第４の実施の形態例を示す商品陳列棚の一部の斜視図、図１１は第５の実施の形態例を示す商品陳列棚の一部の斜視図、図１２は第６の実施の形態例を示す商品陳列棚の一部の斜視図をそれぞれ示す。図７において、第１の実施の形態例である商品陳列棚２０ａは、表面に横溝１０１が形成された矩形状の設置台１０と、右側陳列形態を構成する３台の商品陳列台１と、左側の陳列形態を構成する３台の商品陳列台１から構成される。右側の陳列形態における商品陳列台１は、後方板２が中間板３に対して１８０度回動された位置にあり、前方板４が中間板３に対して９０度回動された位置にある。そして、前方係合片７ｃ、７ｄが設置台１０の傾斜面に形成された横溝１０１ａに係合し、後方板２の前方縁２２が設置台１０の傾斜面１１ａに当接している。これを設置台１０の傾斜面に前後方向に並べて設置すると、ひな壇状の陳列棚を造ることができる。一方、左側の陳列形態における商品陳列台１は、後方板２が中間板３に対して９０度回動された位置にあり、前方板４が中間板３に対して１８０度回動された位置にある。そして、後方係合片７ａ、７ｂが設置台１０の傾斜面に形成された横溝１０１に係合し、前方板４の後方縁４３が設置台１０の傾斜面に当接している。これを設置台１０の傾斜面に前後方向に並べて設置すると、波状の陳列棚を造ることができる。設置台１０の横溝１０１は、商品陳列台１の後方板２、中間板３および前方板４の各横溝と同一形状のものでよい。
【００１９】
図８において、第２の実施の形態例である商品陳列棚２０ｂは、表面に横溝１０１が形成された矩形状の設置台１０と、２台の商品陳列台１と、２台の支え台９から構成される。支え台９は、商品陳列台１の下方で且つ設置台１０の傾斜面の下方端に置かれ、商品の陳列棚の機能の一部と、陳列商品の転落を防止するものである。すなわち、支え台９は設置台１０に設置後、傾斜面に対して直交する鉛直部９１と、鉛直部９１の上端部と連接し、設置台１０に設置後、水平面を形成する表面が波状で且つ横溝９３を有する係止部９２とからなる。本例における商品陳列台１は、上方の商品陳列台１と下方の商品陳列台１から構成される。上方の商品陳列台１は、後方板２が中間板３に対して０度、すなわち、後方板２と中間板３が同一平面を形成し、前方板４が中間板３に対して１０５度程度、回動された位置にある。そして、後方係合片７ａ、７ｂが設置台の傾斜面に形成された横溝１０１ａに係合し、前方係合片７ｃ、７ｄが設置台１０の傾斜面に形成された横溝１０１ｂに係合している。一方、下方の商品陳列台１は、後方板２が中間板３に対して１０５度程度回動された位置にあり、前方板４が中間板３に対して０度、すなわち、前方板４と中間板３が同一平面を形成している。そして、後方係合片７ａ、７ｂが設置台１０の傾斜面に形成された横溝１０１ｃに係合し、前方係合片７ｃ、７ｄが支え台９の係止部９２の横溝９３に係合している。この場合、第２の実施の形態例における商品陳列棚２０ｂは山状の陳列棚を造ることができる。
【００２０】
図９において、第３の実施の形態例である商品陳列棚２０ｃは、表面に横溝１０１が形成され、下端に転落防止板１１を有した矩形状の前方設置台１０ａと、前方設置台１０ａと同一形状の後方設置台１０ｂの裏面同士を対向させることにより前方傾斜面１１ａと後方傾斜面１１ｂを八の字形に形成した一対の設置台に商品陳列台１を設置するものであって、該商品陳列台１は、前方設置台１０ａと後方設置台１０ｂの頂上で形成される開口部５０を跨ぐように設置される。すなわち、頂上に載置される商品陳列台１は、後方板２および前方板４が中間板３に対して、約７５〜８０度で回動、固定され、その後方係合片７ａ、７ｂが後方傾斜面の横溝１０１ｄに、前方係合片７ｃ、７ｄが前方傾斜面の横溝１０１ｅにそれぞれ嵌合するように設置される。前方設置台１０ａには、頂上の商品陳列台を除いて、上方商品陳列台と下方商品陳列台の２台の商品陳列台と、２台の支え台９が設置される。これら２台の商品陳列台と２台の支え台９は、第２の実施の形態例における商品陳列棚２０ｂで使用されるものと同一の設置形態であるのでその説明を省略する。図９中、商品陳列棚２０ｃの後方設置台１０ｂには図面作成を簡略化するため、商品陳列台の記載が省略されている。すなわち、後方設置台１０ｂの傾斜面１１ｂに対しても、複数の商品陳列台１を種々の形態で設置してもよい。また、図９中、前方設置台１０ａ、後方設置台１０ｂを支える基台も省略されている。また、前方設置台１０ａ、および後方設置台１０ｂが幅広のものであれば、頂上の商品陳列台１はこれと同じ寸法の幅広のものを使用するか、あるいは複数の商品陳列台を横に並べるかして、頂上の開口部５０を塞げばよい。従来、前方傾斜面と後方傾斜面を有する八の字状の設置台の頂上開口部が無駄な空間であったところ、本例の商品陳列棚２０ｃを使用すれば、この開口部５０が商品陳列棚になり、商品陳列空間が増えると共に、斬新な商品陳列棚を演出でき、顧客の目を引くことができる。
【００２１】
第４の実施の形態例における商品陳列棚２０ｄを図１０を参照して説明する。図１０において、図９と同一構成要素には同一符号を付してその説明を省略し、異なる点についてのみ主に説明する。すなわち、図１０において、図９と異なる点は、前方設置台１０ａに設置される商品陳列台１の設置形態、および後方設置台１０ｂに設置される商品陳列台１の設置形態である。すなわち、前方設置台１０ａにおける３台の商品陳列台１は、後方板２が中間板３に対して１８０度回動された位置にあり、前方板４が中間板３に対して約１００度回動された位置にある。そして、後方板の前方縁２２が傾斜面１１ａに当接し、前方係合片７ｃ、７ｄが設置台１０ａの傾斜面に形成された横溝１０１に係合している。これにより、中間板３が水平面を形成することになる。本例の前方設置台１０ａにおいては、ひな壇状の陳列棚を造ることができる。一方、後方設置台１０ｂにおける商品陳列台１の設置形態は、図８の商品陳列台の設置形態において、支え台９を省略し、下側の商品陳列台１の前方係合片７ｃ、７ｄを設置台１０ｂの横溝１０１に係合させたものである。なお、符号１０２は基台である。このような商品陳列棚２０ｄにおいては、スイカ、メロン、リンゴなどの丸物商品Ａをボリュウーム感を持たせるなどして興味をそそる陳列とすることができる。なお、八の字状の設置台に係る後方設置台１０ｂにおいては、通路側（顧客側）から見て前方、後方を言うものとする。以下同様である。
【００２２】
第５の実施の形態例における商品陳列棚２０ｅを図１１を参照して説明する。図１１において、図９と同一構成要素には同一符号を付してその説明を省略し、異なる点についてのみ主に説明する。すなわち、図１１において、図９と異なる点は、頂上の商品陳列台１の形態、前方設置台１０ａに設置される商品陳列台１の設置形態、および後方設置台１０ｂに設置される商品陳列台１の設置形態である。すなわち、頂上の商品陳列台１において、後方板２および前方板４は中間板３に対して、約３０度回動した位置で固定されている。そして、後方板２の後方係合片７ａ、７ｂが後方設置台１０ｂの表面に形成された横溝１０１に係合され、前方板４の前方係合片７ｃ、７ｄが前方設置台１０ａの表面に形成された横溝１０１に係合されている。また、前方設置台１０ａにおける３台のうち、上方の２台は、後方板２が中間板３に対して１８０度回動された位置にあり、前方板４が中間板３に対して約８０度回動された位置にある。そして、後方板の前方縁２２が傾斜面１１ａに当接し、前方係合片７ｃ、７ｄがその下側にある商品陳列台１の中間板３の横溝３１に係合されている。下方の１台は、後方板２が中間板３に対して１８０度回動された位置にあり、前方板４が中間板３に対して約１１０度回動された位置にある。そして、後方板の前方縁２２が傾斜面１１ａに当接し、前方係合片７ｃ、７ｄが設置台１０ａの傾斜面に形成された横溝１０１に係合している。これにより、３台の商品陳列台はいずれも中間板３が水平面を形成することになる。本例の前方設置台１０ａにおいては、ひな壇状の陳列棚を造ることができる。一方、後方設置台１０ｂにおける商品陳列台１の設置形態は、図８の商品陳列台の設置形態と同様である。このような商品陳列棚２０ｅにおいて、前方設置台１０ａでは、箱物商品Ｂの陳列に適し、後方設置台１０ｂでは、ダイコン、ゴボウなどの長物商品Ｃを興味を持たせる陳列とすることができる。
【００２３】
第６の実施の形態例における商品陳列棚２０ｆを図１２を参照して説明する。図１２において、図９と同一構成要素には同一符号を付してその説明を省略し、異なる点についてのみ主に説明する。すなわち、図１２において、図９と異なる点は、頂上の商品陳列台１の形態、前方設置台１０ａに設置される商品陳列台１の設置形態、および後方設置台１０ｂに設置される商品陳列台１の設置形態である。すなわち、頂上の商品陳列台１において、後方板２は中間板３に対して、約９０度回動した位置で固定され、前方板４は中間板３に対して、０度の位置で固定されている。そして、後方係合片７ａ、７ｂは後方設置台１０ｂの傾斜面に形成された横溝１０１に係合され、前方係合片７ｃ、７ｄは前方設置台１０ａの傾斜面に形成された横溝１０１に係合されている。また、前方設置台１０ａにおいて、２台の商品陳列台１は、後方板２が中間板３に対して約１１０度回動された位置にあり、前方板４が中間板３に対して０度の位置にある。そして、後方係合片７ａ、７ｂおよび前方係合片７ｃ、７ｄは共に、前方設置台１０ａの傾斜面１１ａに形成される横溝１０１に係合されている。これにより、前方設置台１０ａにおける商品陳列台１の前方板４と中間板３は傾斜面を形成するため、ダイコン、ゴボウなどの長物商品Ｃの陳列に適する。後方設置台１０ｂにおいて、２台の商品陳列台１は、後方板２が中間板３に対して０度の位置にあり、前方板４が中間板３に対して約１１０度回動された位置にある。そして、後方係合片７ａ、７ｂおよび前方係合片７ｃ、７ｄは共に、後方設置台１０ｂの傾斜面１１ｂに形成される横溝１０１に係合されている。これにより、後方設置台１０ｂにおける商品陳列台１の後方板２と中間板３で形成される面は水平面を形成するため、箱物商品Ｂの陳列に適する。
【００２４】
本実施の形態例の商品陳列台１において、後方板２、中間板３、および前方板４は前記実施の形態例のものに限定されず、例えば、表面に複数条の横溝のないものが使用できる。この場合、図４に示すようなピラミッド状の形態や図１１の前方設置台１０ａにおける設置形態を採ることができないものの、図７〜図１０に示す設置形態、図１１の後方設置台１０ｂにおける設置形態、図１２に示す設置形態のいずれも適用できる。本発明における商品陳列台１において、後方板２、中間板３および前方板４の各横溝２１、３１、４１には、板状の商品仕切り板を設けてもよい。
【００２５】
以上、本発明の実施形態を説明したが、具体的な構成はこれに限定されず、本発明の要旨を逸脱しない範囲での変更、追加は本発明の範囲内である。
【００２６】
【発明の効果】
以上詳述したように、発明の商品陳列台によれば、商品の多様化、頻繁な模様替えに対応可能で、簡易な構造であり、且つひとつ又は複数個の使用で多面的な商品の陳列が可能となる。また、該商品陳列台と設置台の傾斜面とを組み合わせれば、ひな壇状、波状、鋸歯状など種々の陳列形態を採ることができる。また、従来、前方傾斜面と後方傾斜面を有する八の字状の設置台において、その頂上開口部が無駄な空間であったところ、本発明の商品陳列棚を使用すれば、この開口部が商品陳列棚になり、商品陳列空間が増えると共に、斬新な商品陳列棚を演出でき、顧客の目を奪うことができる。
【図面の簡単な説明】
【図１】本発明の実施の形態である商品陳列台を示す斜視図である。
【図２】図１の商品陳列台の前方板および後方板の動きを示す斜視図である。
【図３】図１の商品陳列台の前方板および後方板の他の動きを示す斜視図である。
【図４】図３の商品陳列台をピラミット状に組み付けた図である。
【図５】第２の実施の形態である商品陳列台を示す斜視図である。
【図６】図５の変形例を示す斜視図である。
【図７】第１の実施の形態例を示す商品陳列棚の一部の斜視図である。
【図８】第２の実施の形態例を示す商品陳列棚の一部の斜視図である。
【図９】第３の実施の形態例を示す商品陳列棚の一部の斜視図である。
【図１０】第４の実施の形態例を示す商品陳列棚の一部の斜視図である。
【図１１】第５の実施の形態例を示す商品陳列棚の一部の斜視図である。
【図１２】第６の実施の形態例を示す商品陳列棚の一部の斜視図である。
【図１３】図１の商品陳列台の背面図である。
【符号の説明】
１、１Ａ、１Ｂ        商品陳列台
２        後方板
２Ａ      Ｌ字板
３        中間板
４        前方板
５、６蝶番状（ヒンジ）結合
７ａ、７ｂ  後方係合片
７ｃ、７ｄ  前方係合片
９        支え台
１０        設置台
１１ａ、１１ｂ        転落防止板
１１ａ      傾斜面
２１、３１、４１、９３、１０１      横溝
９１        鉛直部
９２        係止部
１０２      基台
Ａ          丸物商品
Ｂ          箱物商品
Ｃ          長物商品
【図１】
0004024034.tif 000002
【図２】
0004024034.tif 000003
【図３】
0004024034.tif 000004
【図４】
0004024034.tif 000005
【図５】
0004024034.tif 000006
【図６】
0004024034.tif 000007
【図７】
0004024034.tif 000008
【図８】
0004024034.tif 000009
【図９】
0004024034.tif 000010
【図１０】
0004024034.tif 000011
【図１１】
0004024034.tif 000012
【図１２】
0004024034.tif 000013
【図１３】
0004024034.tif 000014